(57)【要約】【課題】無線プローブ計測システムにおいて伝送帯域幅を有効に利用する。【解決手段】無線プローブ計測システムにおいて帯域幅を管理するためのシステム及び方法が開示される。このシステム及び方法は、無線プローブにおいて標識を受け取って１つ以上の変数の測定値の取得を開始する手段と、１つ以上の変数を計測する手段と、計測された１つ以上の変数を使用して無線プローブにおいて統計値の組を計算する手段と、統計値の組を中央局に伝送する手段を含むことができる。【選択図】図４
2005135413.tif 000002
【特許請求の範囲】
【請求項１】
無線プローブ計測システム（１０、５１）の帯域幅を管理する方法（４０）であって、
１つ又は複数の変数の計測値の取得を開始するために標識（３００）を無線プローブ（１０４、５０１）において受信するステップ（４００）と、
前記１つ又は複数の変数を計測するステップ（６００）と、
前記計測された１つ又は複数の変数を使用して、前記無線プローブにおいて、統計値の組を算出するステップ（４０３、６０５）と、
前記統計値の組を中央局（５０、１０８）に伝送するステップ（４０４、６１０）
を有する、方法。
【請求項２】
前記計測値の時間と前記計測値の場所の中の１つ又は複数のものによって前記１つ又は複数の変数のそれぞれの計測値をマーキングするステップ（４０２）を更に有する、請求項１記載の方法。
【請求項３】
前記１つ又は複数の変数を事前設定された警報条件と比較するステップ（６０１）と、
前記事前設定された警報条件の中のいずれかを超えたことの検出に応答して、警報状態を設定するステップ（６０３、６０４）
を更に有する、請求項１記載の方法。
【請求項４】
中間の優先順位レベルを前記統計値の組に割り当てるステップ（６０４）と、
低い優先順位を前記計測値に割り当てるステップと、
高い優先順位を前記警報状態に割り当てるステップ
を更に有する、請求項３記載の方法。
【請求項５】
前記標識は、
予め決定された時間の経過（４００）と、
前記無線プローブによる予め決定された距離の経過と、
前記予め決定された時間及び距離の前記経過の組み合わせ
との中の１つ又は複数のものを含むことからなる、請求項１記載の方法。
【請求項６】
前記算出するステップは、
１つ又は複数の変数を使用して中間統計値の組を算出するステップ（６０５）を有することからなる、請求項１記載の方法。
【請求項７】
中間統計値の組を算出する前記ステップは、
複数の無線プローブ（１０４、５０１）によって計測された１つ又は複数の変数と、
前記複数の無線プローブの中の１つによって１つの場所（５０８）内において計測された１つ又は複数の変数
との中の１つ又は複数のものを使用することからなる、請求項６記載の方法。
【請求項８】
前記無線プローブ計測システム（１０、５１）は、グリッド（３００）に論理的に分割され、前記無線プローブ（１０４、５０１）は、前記グリッドの１つ又は複数のビン（３０２）内において、前記事象について計測することからなる、請求項１記載の方法。
【請求項９】
前記無線プローブ（１０４、５０１）が前記１つ又は複数の変数を計測する領域（５１）を画定するステップと、
前記無線プローブの周辺に統計的ビン（５０８、５０９、５１０、５１１、５１２）を動的に生成するステップであって、前記統計的ビンの領域は、前記計測された１つ又は複数の変数間における関係によって画定されることからなる、ステップ、
を更に有する、請求項１記載の方法。
【請求項１０】
前記算出された統計値の組から既定の量だけ異なる前記計測された１つ又は複数の変数の中の新しいものに応答して、新しい統計的ビン（５０８、５０９、５１０、５１１、５１２）を動的に生成するステップを更に有する、請求項１記載の方法。
【発明の詳細な説明】
【技術分野】
【０００１】
本発明は、一般には、無線通信に関し、更に詳しくは、統計的計測を使用する帯域幅の管理に関するものである。
【背景技術】
【０００２】
計測ツールの出現以来、計測プローブ及びツールを使用するデータ計測が一般的に行われている。日時計、風向計、六分儀、及びこれらに類似するものなどの初期のツールは、手動で（又は、自然に）駆動し、データは、単に書き留められるか、或いは記憶されていた。温度センサ、天候プローブ、高周波（無線周波数：ＲＦ）センサ、ＧＰＳ（Global Positioning System：グローバル位置決定システム）受信機、及びこれらに類似するものを含む新しいプローブの場合には、コンピュータ及び電子機器によって駆動されている。最近の傾向としては、特定タイプの計測タスクに無線プローブを使用するようになっている。一般には、広い領域にわたって追跡可能な静止状態の遠く離れた場所又はイベントにおいてターゲットとなり得る計測タスクであれば、すべて無線計測プローブを使用するのに好適な候補である。例えば、無線通信ネットワーク、交通パターン、汚染レベル、環境状態、及びこれらに類似するものを計測するプローブは、それぞれ計測値を無線で送信する遠隔プローブを使用している。このプロセスによれば、通常、現場に人的リソースを配置する費用が軽減されると共に、通常は人間がアクセス不能であったり、人間にとって好ましくない極限的な領域にプローブを配置することができる。無線プローブを使用すれば、遠隔地まで配線工事を行う必要がなく、この結果、配線工事に関わる費用が軽減されると共に、環境に対する影響も小さなものにすることができる。
【０００３】
しかしながら、無線プローブに伴う問題点の１つが無線ネットワークのデータ帯域幅制限である。大部分の計測プローブは、無線ネットワークを介して計測データを伝送可能なレートをはるかに上回るレートで計測値を取得する能力を有している。このデータスループットの不整合により、計測情報の処理地点への搬送に問題が生じる。データを省いたり、データを保存しなければならなくなるのである。モバイルタイプの無線プローブに対する現時点での解決策によれば、通常、大規模なハードディスクやその他のタイプの記憶手段などの大規模な記憶装置にプローブを装着することが必要である。これにより、大量のデータを計測し、分析に使用することが可能となるが、処理を行う前に、処理センタにおいて計測データを記憶手段からダウンロードする必要がある。その他の解決策においては、「スマート」プローブ（限られた量の内蔵された処理機能を有するプローブ）の使用が必要である。これらのスマートプローブをプログラムすることにより、ある程度限定的ではあるが論理的な方式によって、実際の計測作業を制御することができる。
【０００４】
このようなスマートプローブを使用し、帯域幅を考慮した方式で、計測プロセスを制御することができる。例えば、計測対象の事象が、特定の期間においてのみ、実際に興味深い場合には、プローブをプログラムして、その対象の時間内においてのみ、当該計測を実行することができる。同様に、その事象が、特定の場所においてのみ、存在する場合には、プローブをプログラムし、その事象がそれらの対象のゾーン又は場所内に存在している場合にのみ、計測を実行することができる。更には、特定の時間と場所の組み合わせにおいてのみ興味深い事象も存在し得る。このような場合には、プローブをプログラムし、その興味深い時間及び場所においてのみ、計測することができる。計測プロセスを効果的に制限することにより、収集される生データの量を大幅に削減することができる。しかしながら、収集される生計測データの量は、これらの計測方法によって大幅に削減されはするものの、それでも、対象である限定されたゾーン内においてプローブが収集可能なデータ量は、依然として、利用可能な帯域幅リソースを圧倒し得る量である。
【発明の開示】
【発明が解決しようとする課題】
【０００５】
本発明の１つの目的は、無線プローブ計測システムにおける情報伝送量を効果的に削減することである。
【課題を解決するための手段】
【０００６】
本発明の代表的な実施形態は、無線プローブ計測システムの帯域幅を管理する方法に関するものであり、この方法は、１つ又は複数の変数（または、変量。以下同じ）の計測値の取得を開始するために標識（インジケータ）を無線プローブにおいて受信するステップと、その１つ又は複数の変数を計測するステップと、計測された１つ又は複数の変数を使用して無線プローブにおいて統計値の組を算出するステップと、統計値の組を中央局に伝送するステップを含む。
【０００７】
本発明の更なる代表的な実施形態は、所望の事象を計測する無線プローブに関するものであり、この無線プローブは、プロセッサと、計測値を取得するトランスデューサと、取得した計測値に関する統計的な情報を算出するための、プロセッサにおいて動作可能なコードと、統計的情報をデータ交換センタ（または情報センタ）に伝送するための通信インターフェイスを含むことができる。
【０００８】
本発明の更なる代表的な実施形態は、無線プローブを使用して所望の事象を計測する方法に関するものであり、この方法は、所望の事象に関連する１つ又は複数の変数を計測するステップと、移行イベント通知の受信に応答して、計測した１つ又は複数の変数を使用して無線プローブにおいて統計データを算出するステップと、統計データを中央処理地点に伝送するステップを含むことができる。
【０００９】
本発明の更なる代表的な実施形態は、複数の無線プローブを使用し、定義された領域内において所望の事象を分析する方法に関するものであり、この方法は、定義された領域を複数のグリッドセクションを有するグリッドに分割するステップと、定義された領域にわたって所望の事象に関連する生の計測値を取得するステップと、生の計測値のそれぞれの場所を判定するステップと、複数のグリッドセクションの中の１つのセクションの境界内に属する場所に対応して、生の計測値のそれぞれに複数のグリッドセクションの中の１つを割り当てるステップと、生の計測値を使用して無線プローブにおいて統計データを算出するステップと、統計データを中央分析センタに伝達するステップを含むことができる。
【００１０】
以上は、以下の本発明に関する詳細な説明をより十分に理解できるように、本発明の特徴と技術的な利点について広範に概説したものである。以下、本発明の特許請求の範囲の主題をなす本発明の更なる特徴及び利点について説明する。開示する概念及び特定の実施形態は、本発明と同じ目的を実現するその他の構成の変更または設計の基礎として容易に利用可能であることを理解されたい。又、このような等価な構成は、特許請求の範囲に記述されている本発明から逸脱しないことについても理解されたい。構造及び動作方法の両面において本発明を特徴付けると考えられる新規な特徴、並びに更なる目的及び利点については、添付図面と共に以下の説明を参照することにより十分に理解されよう。しかしながら、これらの図面のそれぞれは、例示及び説明を目的として提供されているものに過ぎず、本発明の限界を画定することを意図するものではないことを明確に理解されたい。
【実施例】
【００１１】
本発明の十分な理解のために、以下、添付図面を参照して説明する。
【００１２】
本明細書において説明する帯域幅管理システムの一実施形態においては、ＲＦプローブを使用して携帯電話ネットワークの属性を計測する。図１は、セルラーネットワーク１０を示すブロック図である。セルラーネットワーク１０は、それぞれがネットワーク１０内の割り当てられたセルをカバーする無線アンテナ１００〜１０３を有している。車両１０５には、ＲＦプローブ１０４が装着されており、この車両は、保守車両であるか、或いは、単に、タクシー、バス、又はこれらに類似するものなどのＲＦプローブ１０４を搬送するべく契約した公共輸送車両であってよい。ＲＦプローブ１０４は、通常、生の計測値を読み取るトランスデューサを含んでおり、且つ計測情報を処理すると共に設定データ（コンフィギュレーションデータ）を実装するためのプロセッサを含むこともできる。車両１０５が経路１０６に沿って移動するに伴い、ＲＦプローブ１０４は、信号強度、周波数ドリフト、又はこれらに類似するものなどの計測値を取得することができる。次いで、これらの生の計測値（或いは、これらから導出されたデータ）を、計測アンテナ１０７を介して、ＲＦプローブ１０４から通信基地局１０８に定期的に伝送可能である。そして、この通信基地局１０８（或いは、データ交換センタや中央処理地点などのその他の施設）において、複雑な分析の大部分が実行されて、セルラーネットワーク１０が分析される。
【００１３】
尚、本発明の用途乃至適用は、セルラーネットワークのＲＦ属性の試験に限定されるものではないことに留意されたい。図１に示されているシステムは、その他の計測事象にも容易に適用可能であろう。一例が汚染の監視である。この場合には、モバイルプローブは、経路１０６に沿って一連の空気の質の計測値を取得し、アンテナ１００〜１０３は、実際には、産業施設、幹線道路上の地点、又はこれらに類似するものを表すであろう。従って、図１に示す例は、本発明の様々な実施形態の適用を限定するものではなく、また限定することを意図するものでもない。
【００１４】
ＲＦプローブ１０４によって実施される計測プロセスは、時間／距離アルゴリズムを使用して制御することができる。例えば、「Ｘ」メートルごとに計測を実行するべくプローブに指示することができる。但し、プローブが非常に高速で移動していたり、非常に低速で移動していたり、或いは、完全に停止しているとプローブが判定した場合には、「Ｙ」秒ごとに計測値を取得するべくアルゴリズムを変更可能であり、あまりに低速で移動していたり、或いは、あまりに高速で移動している場合には、一旦、「Ｘ」メートルが経過した後に、次の計測値を取得する前に、「Ｚ」秒が経過していることをもチェックをする（ここで、「Ｚ」は「Ｙ」よりも小さい）。
【００１５】
図２は、アンテナまでの距離の関数として、図１に示されているアンテナ１０１と１０２との相対的な信号強度を示すグラフである。ＲＦプローブ１０４（図１）がアンテナ１０１から離れるに伴って、強度標識２００によって示されているように、その信号強度は減少する。同様に、ＲＦプローブ１０４（図１）がアンテナ１０２に近づくに伴って、強度標識２０１によって示されているように、その信号強度は増大する。適切に設計されたセルラーネットワークにおいては、ハンドオフ領域２０２において、信号強度標識２００及び２０１がオーバーラップし、セルラーネットワーク上の携帯電話機は、この領域において、アンテナ１０１からアンテナ１０２に移動していることになる。アンテナ１０１及び１０２からの信号強度は、領域内にわたって大幅に異なるため、その特性を判定するには、多数のデータ計測値が必要となる。但し、信号強度は、アンテナからの距離に強く相関しているため、スマートプローブは、生の計測値をこの事象の数学的なモデルにフィッティングさせることができる。そして、プローブからは、当該モデルの統計学的な特性のみが伝送されることになろう。このケースにおいては、モデルは、「信号強度」と「アンテナからの距離」間における線形関係である。従って、この特徴を判定するには、傾き、切片、及び線形相関係数で十分であろう。この結果、プローブから伝送される情報が大幅に削減されることになる。
【００１６】
０．５キロメートルのビンライン２０３は、アンテナ１０１と１０２との間におけるビンを示しており、これらのビン（ビンとは、例えば、所定の処理を行うためにグループ分けされた区画をいう）は、それぞれの０．５キロメートルのビン内において信号強度が大幅には変化しないであろう領域の境界を定めている。任意の所与のビン内における相対的な信号強度は、一般に大幅には変化しないため、このように細かく分割することにより、統計的分析法を使用してアンテナの属性を分析することができる。
【００１７】
図３は、セルラーネットワーク１０によってカバーされている領域上に重ね合わせられたグリッドシステム３００を示すブロック図である。グリッドシステム３００により、グリッドラインによって画定された複数のビンが生成されている。プローブによって取得された生の計測値は、その計測値が取得された場所に応じて、特定のビンに割り当てることができる。本発明の一実施形態において動作可能なプローブは、生の計測値に対して場所のスタンプを付加するべく、ＧＰＳ（Global Positioning Satellite： 全地球航行測位衛星）メカニズム又はこれに類似するものなどのなんらかの種類の方向／場所検出装置を含むことができる。そして、この場所を使用して、それらの生の計測値をその特定のビンに割り当てることができる。
【００１８】
特定の事象の分析部分を、特定の警報条件についてチェックするためのものとすることができる。例えば、セルラーネットワーク１０内において、信号パワーが特定のレベルを下回った場合には、セルが動作不能となって通話が欠落したり、通信危機を引き起こす可能性がある。同様に、信号のパワーが強過ぎる場合にも、近傍のセルとの干渉が発生する可能性がある。従って、１つの生の計測値のレベルを知ることは、分析の責任者にとって有益である。プローブは、生の計測値を取得すると、それらの計測値を試験対象事象の特定の警報条件と比較することができる。そして、警報条件を超過している場合には、プローブは、警報を発することができる。尚、無線計測システムを使用する際には、より重要なデータ用の限定された帯域幅に対してより高い優先順位を付与するべく、通信に対して優先順位レベルを割り当てることが有益である。プローブから発せられる警報は、高優先順位メッセージとして分類可能であり、他の通信を介して中央局に送信される。
【００１９】
本発明の一実施形態においては、プローブにおいて実行される統計計算を使用して、中央局に伝送するデータ量を削減している。図３を再度参照するに、プローブは、ビン３０２を移動する際に、信号強度、周波数、又はこれらに類似するものなどの百個、千個、又はその他の多く数の計測値を取得することができる。そして、これらの生の計測値を伝送する代わりに、プローブは、Ｎ個の計測値の最小値、モード、平均値、メジアン、標準偏差、歪度（スキュー）、及び最大値などの特定の統計値を算出可能である（ここで、Ｎは、計測値の数であり、即ち、上述のように百又は千である）。これらの７つの統計値を使用することにより、ビン３０２内のセルラーネットワークの動作（または性能）に関する様々な分析を実行することができる。従って、ビン３０２の計測値に関して中央システムに報告する際には、プローブは、前述の例においては、Ｎ個の計測値の代わりに、７つの算出された統計値のみを伝送することになる。単純な線形システム以外の統計システムを選択した場合には、その他の統計変数を算出可能である。従って、本発明は、７つの値のみの伝送に限定されるものではない。そして、選択した統計システムとは無関係に、「Ｎ」の数に応じて、伝送するデータが大幅に削減される可能性がある。
【００２０】
図４は、本発明の一実施形態に従って構成された統計的帯域幅管理システム４０を示すフローチャートである。ステップ４００において、ビン移行事象を受け取り、ステップ４０１において、プローブは、その特定のビンに関連する生の計測値の取得を開始する。次いで、ステップ４０２において、将来参照するために、それぞれの計測値に対して、計測の時間及び場所のスタンプ（またはマーキング）を付加することができる。ステップ４０３において、ビン移行イベントを受け取ると、プローブは、特定のビンに関連するステップ４００において取得された計測値を使用して、統計値の組を算出する。この統計値の組は、平均値、標準偏差、モード、及びこれらに類似するものなどの値を含むことが可能であり、或いは、特定の計測値の合計や同一ビン内の異なる部分における特定の値の合計などの中間的な統計値から構成することもできる。次いで、ステップ４０４において、この統計値の組をプローブから中央システムに伝送することができる。本発明の選択された実施形態では、ステップ４０５において、ローカルストレージ（局所的記憶部）がプローブに利用可能であるかどうか、または、これにプローブがアクセス可能であるかどうかに関する判定を実行することができる。かかるローカルストレージが利用可能でない場合には、プローブは、ステップ４０１において計測された生データを破棄する。一方、ローカルストレージがプローブに利用可能である場合には、ステップ４０１からの計測値を、将来のアクセスのために、当該ローカルストレージに保存することができる。重要な情報は維持する一方で、取得することができたであろう計測値のかなりの部分を削減するように計測値を取り除くことにより、保存する生の計測値の量を削減することも可能である。ローカルストレージは、ダイナミックメモリ、フラッシュメモリ、ハードディスク、及びこれらに類似するものなどのメモリの様々な形態をとることができる。
【００２１】
動作時、１つの無線プローブにより、対象とする任意の特定のビンのみをランダムに通過させることができる。従って、１つのプローブのみを使用する場合には、計測頻度が低くなるために、計測データの信頼性が低下すると共に、いくつかのビンがまったく計測されないままになる場合がある。多くのシステムにおいては、複数のプローブを使用して計測情報を収集している。この場合、対象とする様々なビンを更に正確に分析するべく、この情報を中央局において集計することができる。中央局におけるこの集計に対応するべく、算出され及び伝送される統計値の組を特定の計測値の合計などの中間的な統計値に限定することも可能である。このような実施形態においては、１つのプローブは、特定の計測値Ｘの合計を算出し、統計値Ｎ及び、
【００２２】
【数１】
2005135413.tif 000003
を送信することができる。現場の様々なプローブからそれぞれの統計値を受信すると、中央局は、異なるサンプルサイズＮ１−Ｎｍと合計
【００２３】
【数２】
2005135413.tif 000004
を使用して、計測値を更に大きな母集団に集計することができる（ここで、Ｎ１−ＮｍとＸ１・・・Ｘｍのそれぞれは、ターゲットのビンにおいて計測を実行するプローブ１・・・ｍについてのサンプルサイズと計測値である）。標準偏差やこれに類似するものなどのその他の統計変数の算出においては、二乗及び他のより高次の合計を使用可能である。従って、例えば、特定のビンについての全体平均を算出する際には、中央局は、次のように算出することができる（これは、算出可能な統計変数の一例に過ぎない）。
【００２４】
【数３】
2005135413.tif 000005
【００２５】
平均値、標準偏差、及びこれらに類似するものを含む線形の統計体系は、使用可能なタイプの１つに過ぎない。指数、ポアソン、一様（一定）、及びこれらに類似するものなどのその他の体系も使用することができる。但し、プローブは、統計値の組と共に、使用される統計体系のタイプを伝送する必要がある。
【００２６】
前述のように、ビンサイズが小さ過ぎる場合には、ビン又はグリッド当たりの計測値の数における節約は、複数のビンのそれぞれごとの計測値の数によって相殺される。一変数計測／算出の計算に代わるものは、ビン又はグリッドサイズを拡大し、統計的な分析を得るべく相互相関可能な複数の計測／算出を使用する方式である。複数変数記述統計の実施におけるプロセスは、図４に示されているステップに類似している。但し、プローブによって算出される統計値の組は異なるものになろう。例えば、前述の例において説明した線形統計体系において、３つの異なる計測変数Ｘ１、Ｘ２、及びＸ３を考慮した場合には、グリッド移行イベントにおいて、次の各項を算出して中央局に伝送することができる。
【００２７】
【数４】
2005135413.tif 000006
【００２８】
以下同様に、様々な交差項、二重交差項、及び三重交差項を算出して伝送することができる。
【００２９】
本発明の別の実施形態においては、領域上に重ね合わせられた静的な人工的グリッドを有する代わりに、試験対象の領域をプローブによって動的にグリッド化することができる。図５は、所望の事象に関する試験対象である領域５１を示すブロック図である。領域５１は、特定の環境条件に関する試験が望ましい領域として指定されている。産業施設５０２〜５０６のそれぞれは、時々監視することを要する汚染物質の放出プロセスを有している。モバイル輸送手段５００（これは、なんらかの種類の自動車であってよい）は、無線計測プローブ５０１を備えている。領域５１上にグリッドシステムを事前設定する代わりに、図５に示されている計測システムは、無線計測プローブ５０１によって実施された動的なグリッド化メカニズムを有している。モバイル輸送手段５００が道路５０７を移動するに伴って計測値が取得される。無線計測プローブ５０１は、それぞれの計測値を取得し、それらの計測値を、以前の計測値から算出された予め算出しておいた統計値と比較する。そして、生の計測値がその統計値から特定量だけ異なり始めたと無線計測プローブ５０１が判定した際に、統計的移行イベントが識別される。この移行イベントに応答して、新しい統計的ビンが生成される。このビン内において実行された計測は、新しい動的なビンについての統計値と比較され、統計演算に追加されることになる。計測値が再度異なり始めると、新しい統計的移行イベントが識別され、別の統計的ビンが生成される。このようにして、無線計測プローブ５０１は、領域５１を統計的に互換性のある領域に動的にグリッド化する。それぞれの統計的ビンが閉じる際に、無線計測プローブ５１は、統計情報を中央局５０に伝送する。
【００３０】
動作時、無線計測プローブは、それぞれの生の計測値を、現在の統計的ビン５０８内の算出された統計値と比較する。図５には、道路５０７に沿った統計的ビン５０９〜５１２も示されている。モバイル輸送手段５００の移動の開始時点においては、計測値が統計的ビン５１２内において取得され、統計変数が算出される。モバイル輸送手段５００が、統計的ビン５１１として示されている領域に近づくに伴って、計測値は、ビン５１２の統計基準から変化し始める。計測値がビン５１２の統計値を特定量だけ超えると、統計的ビン５１２は閉じられ、その統計演算結果が無線計測プローブ５０１から中央局５０に伝送される。これと同時に統計的ビン５１１が開かれ、生の計測値が、ビン５１１について算出された統計値と比較される。このプロセスは、ビン５１１から５０８まで継続する。
【００３１】
図６は、本発明の別の実施形態において実行されるステップを示すフローチャートである。ステップ６００において、所望の事象の計測値を取得する。ステップ６０１において、これらの計測値を警報条件と比較する。ステップ６０２において、警報条件に合致したかどうかに関する判定を行う。合致した場合には、ステップ６０３において、プローブは警報イベントをトリガする。次いで、ステップ６０４において、中央局に伝送するべく、警報メッセージに対して高優先順位を割り当てる。
【００３２】
一方、どの警報条件にも合致しない場合には、ステップ６０５において、事象の計測値を表す統計値を算出する。ステップ６０６において、この統計値に中間の優先順位を割り当てる。これと同時に、ステップ６０７において、生の計測値を間引いてプローブ上の計測データの合計量を削減することができる。ステップ６０８において、中央局に伝送するベく、間引いた計測値に低優先順位を割り当てる。次いで、ステップ６０９において、間引いた生の計測値をローカルメモリ又はローカルストレージ内に保存する。ステップ６１０において、割り当てられた優先順位レベルに従い、これらの通信情報をプローブから中央局に伝送する。
【００３３】
以上、本発明及びその利点について詳細に説明したが、特許請求の範囲によって画定される本発明から逸脱することなく、様々な変更、置換、及び変形を実施できることを理解されたい。更に、この出願の範囲は、本明細書で説明しているプロセス、機械、製造物、物の組成、手段、方法、及びステップの特定の実施形態に限定されるものではない。開示内容から容易に理解できるように、本明細書において説明した対応する実施形態と同一の機能を実質的に実行する、または、同一の結果を実質的に実現する、既存のまたは将来開発されるであろうプロセス、機械、製造物、物の組成、手段、方法、又はステップを利用することが可能である。従って、特許請求の範囲には、これらのプロセス、機械、製造物、物の組成、手段、方法、又はステップが含まれる。
【図面の簡単な説明】
【００３４】
【図１】セルラーネットワークを示すブロック図である。
【図２】アンテナまでの距離の関数として、図１に示されている２つのアンテナの間の相対的な信号強度を示すグラフである。
【図３】セルラーネットワークによってカバーされている領域上に重ね合わせられたグリッドを示すブロック図である。
【図４】本発明の一実施形態に従って構成された統計的帯域幅管理システムを示すフローチャートである。
【図５】所望の事象に関する試験対象である領域５１を示すブロック図である。
【図６】本発明の別の実施形態において実行されるステップを示すフローチャートである。
【符号の説明】
【００３５】
１０、５１  無線プローブ計測システム（またはセルラーネットワーク）
５０、１０８  中央局
１０４、５０１  無線プローブ
３００  グリッド
５０８、５０９、５１０、５１１、５１２  ビン
【図１】
2005135413.tif 000007
【図２】
2005135413.tif 000008
【図３】
2005135413.tif 000009
【図４】
2005135413.tif 000010
【図５】
2005135413.tif 000011
【図６】
2005135413.tif 000012